(57)【特許請求の範囲】
【請求項１】
ＲＴＴＹ信号の複数のマーク周波数及び複数のシフト周波数に関する複数のパラメータを記憶する記憶部と、
前記複数のパラメータのうちの予め定めたマーク周波数のパラメータに基づき定まる第１の周波数と、前記マーク周波数と前記複数のパラメータのうちの予め定めたシフト周波数のパラメータとに基づいて定まる第２の周波数とを確定する制御部と、
妨害信号を探索して抑圧するノッチフィルタと、
を備え、
前記制御部は、
前記ノッチフィルタに、前記第１の周波数を含むように第１のオートノッチ動作禁止周波数範囲を設定し、前記第２の周波数を含むように第２のオートノッチ動作禁止周波数範囲を設定し、
前記ノッチフィルタは、
前記第１のオートノッチ動作禁止周波数範囲及び前記第２のオートノッチ動作禁止周波数範囲を除く周波数帯域を対象として妨害信号を探索して抑圧する
受信機。
【請求項２】
前記第１の周波数及び前記第２の周波数を含む受信帯域が設定された受信フィルタをさらに備え、
前記ノッチフィルタは、前記受信帯域において妨害信号を探索して抑圧する
請求項１に記載の受信機。
【請求項３】
記憶部に記憶されているＲＴＴＹ信号の複数のマーク周波数及び複数のシフト周波数に関する複数のパラメータのうちの所定のパラメータを読み出し、
前記複数のパラメータのうちの予め定めたマーク周波数のパラメータに基づき定まる第１の周波数と、前記マーク周波数と前記複数のパラメータのうちの予め定めたシフト周波数のパラメータと基づいて定まる第２の周波数を確定し、
ノッチフィルタに、前記第１の周波数を含むように第１のオートノッチ動作禁止周波数範囲を設定し、前記第２の周波数を含むように第２のオートノッチ動作禁止周波数範囲を設定し、
前記ノッチフィルタが、前記第１のオートノッチ動作禁止周波数範囲及び前記第２のオートノッチ動作禁止周波数範囲を除く周波数帯域を対象として妨害信号を探索して抑圧する
受信方法。
【請求項４】
受信フィルタに、前記第１の周波数及び前記第２の周波数を含む受信帯域を設定し、
前記ノッチフィルタが、前記受信帯域において妨害信号を探索して抑圧する
請求項３に記載の受信方法。
【請求項５】
コンピュータに、
記憶部に記憶されているＲＴＴＹ信号の複数のマーク周波数及び複数のシフト周波数に関する複数のパラメータのうちの所定のパラメータを読み出すステップと、
前記複数のパラメータのうちの予め定めたマーク周波数のパラメータに基づき定まる第１の周波数と、前記マーク周波数と前記複数のパラメータのうちの予め定めたシフト周波数のパラメータと基づいて定まる第２の周波数を確定するステップと、
ノッチフィルタに、前記第１の周波数を含むように第１のオートノッチ動作禁止周波数範囲を設定し、前記第２の周波数を含むように第２のオートノッチ動作禁止周波数範囲を設定するステップと、
前記ノッチフィルタによって、前記第１のオートノッチ動作禁止周波数範囲及び前記第２のオートノッチ動作禁止周波数範囲を除く周波数帯域を対象として妨害信号を探索して抑圧するオートノッチ実行ステップと、
を実行させる受信プログラム。
【請求項６】
前記コンピュータに、
前記第１の周波数及び前記第２の周波数を含む受信帯域を設定するステップをさらに実行させ、
前記オートノッチ実行ステップとして、前記ノッチフィルタによって、前記受信帯域において妨害信号を探索して抑圧する処理を実行させる
請求項５に記載の受信プログラム。
【発明の詳細な説明】
【技術分野】
【０００１】
本発明は、ＲＴＴＹ（Radio Teletype）による文字情報を含む送信信号を受信する受信機、受信方法、及び受信プログラムに関する。
【背景技術】
【０００２】
ＲＴＴＹの機能を搭載する無線通信機は、マーク周波数を有する第１の信号と、スペース周波数を有する第２の信号とで周波数偏移変調（２値ＦＳＫ変調）することによって表される文字情報を含む送信信号を送信する（特許文献１参照）。
【先行技術文献】
【特許文献】
【０００３】
【特許文献１】特開２０１６−１４３９５７号公報
【特許文献２】特開２０１１−１９３３６０号公報
【発明の概要】
【発明が解決しようとする課題】
【０００４】
無線通信機（受信機）がＲＴＴＹによる文字情報を含む送信信号を受信するとき、マーク周波数及びスペース周波数を含む周波数帯域に妨害信号が重畳することがある。通常、送信信号を受信する受信機は、ノッチフィルタを用いて送信信号に含まれている妨害信号を抑圧する（特許文献２参照）。
【０００５】
ノッチフィルタを自動的に動作させるオートノッチ機能は周期信号の妨害信号を探索して抑圧する機能である。マーク周波数を有する第１の信号とスペース周波数を有する第２の信号とは周期信号であるため、マーク周波数及びスペース周波数を含む周波数帯域に周期信号の妨害信号が重畳すると、第１及び第２の信号と妨害信号とを区別することが難しい。従って、オートノッチ機能を働かせて妨害信号を自動的に抑圧することができない。
【０００６】
そこで、従来の受信機においては、ノッチフィルタを手動で働かせるマニュアルノッチ機能によって妨害信号を抑圧せざるを得ない。オートノッチ機能を働かせて、マーク周波数及びスペース周波数を含む周波数帯域に重畳する周期信号の妨害信号を自動的に抑圧することができる受信機、受信方法、及び受信プログラムが望まれている。
【０００７】
本発明は、２値ＦＳＫ変調の信号を検波した際に検波信号となる信号の第１の周波数と第２の周波数とのそれぞれを含む所定の周波数帯域を除いた周波数帯域に重畳する周期信号の妨害信号をオートノッチ機能によって自動的に抑圧することができる受信機、受信方法、及び受信プログラムを提供することを目的とする。
【課題を解決するための手段】
【０００８】
本発明は、ＲＴＴＹ信号の複数のマーク周波数及び複数のシフト周波数に関する複数のパラメータを記憶する記憶部と、前記複数のパラメータのうちの予め定めたマーク周波数のパラメータに基づき定まる第１の周波数と、前記マーク周波数と前記複数のパラメータのうちの予め定めたシフト周波数のパラメータとに基づいて定まる第２の周波数とを確定する制御部と、妨害信号を探索して抑圧するノッチフィルタとを備え、前記制御部は、前記ノッチフィルタに、前記第１の周波数を含むように第１のオートノッチ動作禁止周波数範囲を設定し、前記第２の周波数を含むように第２のオートノッチ動作禁止周波数範囲を設定し、前記ノッチフィルタは、前記第１のオートノッチ動作禁止周波数範囲及び前記第２のオートノッチ動作禁止周波数範囲を除く周波数帯域を対象として妨害信号を探索して抑圧する受信機を提供する。
【０００９】
本発明は、記憶部に記憶されているＲＴＴＹ信号の複数のマーク周波数及び複数のシフト周波数に関する複数のパラメータのうちの所定のパラメータを読み出し、前記複数のパラメータのうちの予め定めたマーク周波数のパラメータに基づき定まる第１の周波数と、前記マーク周波数と前記複数のパラメータのうちの予め定めたシフト周波数のパラメータと基づいて定まる第２の周波数を確定し、ノッチフィルタに、前記第１の周波数を含むように第１のオートノッチ動作禁止周波数範囲を設定し、前記第２の周波数を含むように第２のオートノッチ動作禁止周波数範囲を設定し、前記ノッチフィルタが、前記第１のオートノッチ動作禁止周波数範囲及び前記第２のオートノッチ動作禁止周波数範囲を除く周波数帯域を対象として妨害信号を探索して抑圧する受信方法を提供する。
【００１０】
本発明は、コンピュータに、記憶部に記憶されているＲＴＴＹ信号の複数のマーク周波数及び複数のシフト周波数に関する複数のパラメータのうちの所定のパラメータを読み出すステップと、前記複数のパラメータのうちの予め定めたマーク周波数のパラメータに基づき定まる第１の周波数と、前記マーク周波数と前記複数のパラメータのうちの予め定めたシフト周波数のパラメータと基づいて定まる第２の周波数を確定するステップと、ノッチフィルタに、前記第１の周波数を含むように第１のオートノッチ動作禁止周波数範囲を設定し、前記第２の周波数を含むように第２のオートノッチ動作禁止周波数範囲を設定するステップと、前記ノッチフィルタによって、前記第１のオートノッチ動作禁止周波数範囲及び前記第２のオートノッチ動作禁止周波数範囲を除く周波数帯域を対象として妨害信号を探索して抑圧するオートノッチ実行ステップとを実行させる受信プログラムを提供する。
【発明の効果】
【００１１】
本発明の受信機、受信方法、及び受信プログラムによれば、２値ＦＳＫ変調の信号を検波した際に検波信号となる信号の第１の周波数と第２の周波数とのそれぞれを含む所定の周波数帯域を除いた周波数帯域に重畳する周期信号の妨害信号をオートノッチ機能によって自動的に抑圧することができる。
【図面の簡単な説明】
【００１２】
【図１】一実施形態の受信機を示すブロック図である。
【図２】一実施形態の受信機におけるデジタル・シグナル・プロセッサの機能的な内部構成を示すブロック図である。
【図３Ａ】ＲＴＴＹのマーク周波数を示す図である。
【図３Ｂ】ＲＴＴＹのスペース周波数を示す図である。
【図４】ＲＴＴＹによって送信される文字情報を含む送信信号の一例を示す図である。
【図５Ａ】図３Ａに妨害信号が重畳した状態を示す図である。
【図５Ｂ】図３Ｂに妨害信号が重畳した状態を示す図である。
【図６】受信フィルタによって抽出された周波数帯域内に設定された第１及び第２のオートノッチ動作禁止周波数範囲を示す図である。
【図７】受信フィルタによって抽出された周波数帯域内に重畳した妨害信号をノッチフィルタによって抑圧している状態を示す図である。
【図８】一実施形態の受信機における制御部によるデジタル・シグナル・プロセッサの制御処理を示すフローチャートである。
【図９】一実施形態の受信機におけるデジタル・シグナル・プロセッサの処理を示すフローチャートである。
【発明を実施するための形態】
【００１３】
以下、一実施形態の受信機、受信方法、及び受信プログラムについて、添付図面を参照して説明する。図１に示す本実施形態の受信機は、一例として電波を受信する無線通信機である。受信機は無線通信機に限定されることはなく、インターネットを介して送信信号を受信するパーソナルコンピュータ等であってもよい。
【００１４】
図１において、アンテナ１は他の無線通信機または中継局より送信された電波を受信する。受信回路２は、電波によって送信された後述する文字情報を含む送信信号を受信してＩＦ（中間周波）信号を生成する。受信回路２は、ＩＦ信号をＡ／Ｄ変換してデジタル・シグナル・プロセッサ３（以下、ＤＳＰ３）に供給する。
【００１５】
ＤＳＰ３には、メモリ４と、スピーカ５と、制御部６が接続されている。メモリ４は例えばフラッシュメモリであり、ＤＳＰ３を後述するように動作させるコンピュータプログラム（受信プログラム）が記憶されている。制御部６は、マイクロコンピュータの中央処理装置（ＣＰＵ）で構成することができる。制御部６は、メインＣＰＵ及びサブＣＰＵのように複数のＣＰＵで構成されていてもよい。
【００１６】
制御部６には、操作部７と、不揮発性メモリ８と、ディスプレイ９が接続されている。不揮発性メモリ８は記憶部の一例であり、不揮発性メモリ８には各種のパラメータが記憶されている。図１において、制御部６とＤＳＰ３、制御部６と不揮発性メモリ８、制御部６とディスプレイ９、ＤＳＰ３とメモリ４とは、バスによって接続されている。
【００１７】
図２は、ＤＳＰ３の機能的な内部構成を示している。ＤＳＰ３は、メモリ４に記憶された受信プログラムを実行することによって、図２に示すような構成として動作する。図２に示すように、ＤＳＰ３は、検波部３１、受信フィルタ３２、ノッチフィルタ３３を有する。また、ＤＳＰ３は、マーク周波数用バンドパスフィルタ３４（以下、マーク周波数用ＢＰＦ３４）、スペース周波数用バンドパスフィルタ３５（以下、スペース周波数用ＢＰＦ３５）、文字デコーダ３６、オートゲイン制御部３７（以下、ＡＧＣ３７）を有する。
【００１８】
図３Ａ、図３Ｂ、及び図４を参照して、ＲＴＴＹによって文字情報をどのように送信するかについて説明する。ＲＴＴＹでは、送信機及び受信機が互いに通信するために、マーク周波数と、マーク周波数からスペース周波数までのシフト量（シフト周波数）と、通信速度であるボーレイトとが予め同じ設定とされる。
【００１９】
マーク周波数としては、例えばロートーンと称される１２７５Ｈｚ、ハイトーンと称される２１２５Ｈｚといった周波数が用いられることが多く、またシフト周波数としては、１７０Ｈｚ、２００Ｈｚ、４２５Ｈｚ、８５０Ｈｚといった周波数が用いられる。マーク周波数とスペース周波数とにあたる２値は、送信機側と受信機側とで関係が保てればよく、マーク周波数とスペース周波数とを反転させてもよい。以上からＲＴＴＹ信号は、マーク周波数とスペース周波数との２つの周波数偏移の変調となる２値ＦＳＫ変調の信号である。
【００２０】
ここでは、マーク周波数が１２７５Ｈｚ、シフト周波数が８５０Ｈｚである場合を例とする。無線通信機（送信機）は、初期状態では、図３Ａに示すようにマーク周波数１２７５Ｈｚで音声信号を送信する。送信機は、図３Ａに示すマーク周波数を有する第１の信号と、図３Ｂに示すシフト周波数を８５０Ｈｚとした場合のスペース周波数２１２５Ｈｚを有する第２の信号とを組み合わせるパターンによって文字情報を送信する。
【００２１】
図４に示すように、送信機は、マーク周波数の第１の信号を送信している初期状態から、予め定めた時間（２２ｍｓ）だけスペース周波数の第２の信号へと偏移させる。この２２ｍｓの第２の信号は、文字情報の１文字分の開始を意味するスタートパルスとなる。
【００２２】
送信機は、スタートパルスに続けて、２２ｍｓごとに第１の信号または第２の信号を送信する。ビットＢ０〜Ｂ４は５ビットで表される文字を示す。ビットＢ０〜Ｂ４のパターンは単なる一例である。送信機は、ビットＢ４に続けて、予め定めた時間（３１ｍｓ）だけ第１の信号へと偏移させる。この３１ｍｓの第１の信号は、１文字分の終了を意味するストップパルスとなる。
【００２３】
このように、送信機は、第１の信号と第２の信号とを２値として周波数偏移で変調する２値ＦＳＫ変調によって送信信号を送信することができる。例えば、図３Ａが第１の信号で周波数変調を行った結果により第１の周波数に偏移した状態であり、図３Ｂが第２の信号で周波数変調を行った結果により第２の周波数に偏移した状態である。
【００２４】
受信機は、図４に示すように送信される送信信号を受信してデコードする。受信機は、デコードした情報をディスプレイ９に表示することができる。
【００２５】
図２において、検波部３１は、入力されたＩＦ信号を検波して検波信号（復調信号）を生成し、受信フィルタ３２に供給する。受信フィルタ３２は、図３Ａ及び図３Ｂに示すように、マーク周波数及びスペース周波数を含む周波数帯域３２ｆｂ（受信帯域）を通過域とするバンドパスフィルタによって、検波信号より第１及び第２の信号を含む周波数帯域を抽出する。受信フィルタ３２が抽出する周波数帯域の帯域幅と、周波数のどの位置でその周波数帯域の検波信号を抽出するかは、制御部６によって設定される。
【００２６】
受信フィルタ３２によって抽出された周波数帯域の検波信号は、ノッチフィルタ３３に入力される。図３Ａ及び図３Ｂは、マーク周波数及びスペース周波数を含む周波数帯域に妨害信号が重畳していない状態を示している。しかしながら、図５Ａ及び図５Ｂに示すように、マーク周波数及びスペース周波数を含む周波数帯域に妨害信号が重畳することがある。図５Ａ及び図５Ｂにおいては、マーク周波数とスペース周波数との間に周波数に周期信号の妨害信号が重畳している場合を示している。
【００２７】
妨害信号が周期信号であれば第１及び第２の信号と妨害信号とを区別することが難しく、単にノッチフィルタ３３を動作させてオートノッチ機能を働かせたとしても、妨害信号を抑圧することができない。
【００２８】
そこで、制御部６は、不揮発性メモリ８から現時点で設定されているＲＴＴＹのパラメータを読み出す。抽出するパラメータは、例えば、設定されているマーク周波数の情報と設定されているシフト周波数の情報とである。さらに制御部６は、設定されているＲＴＴＹのパラメータに基づいて、マーク周波数から第１の周波数、マーク周波数とシフト周波数から第２の周波数（スペース周波数）を確定し、ＤＳＰ３のノッチフィルタ３３に対して、第１の周波数を含むように第１のオートノッチ動作禁止周波数範囲を設定させ、第２の周波数を含むように、第２のオートノッチ動作禁止周波数範囲を設定させる。
【００２９】
一例として、第１のオートノッチ動作禁止周波数範囲はマーク周波数の１２７５Ｈｚから±５０Ｈｚ、第２のオートノッチ動作禁止周波数範囲はスペース周波数の２１２５Ｈｚから±５０Ｈｚの周波数範囲とすればよい。図６は、第１及び第２のオートノッチ動作禁止周波数範囲が設定された状態における、マーク周波数（第１の周波数）と、スペース周波数（第２の周波数）と、受信帯域との関係を示す。
【００３０】
ノッチフィルタ３３を動作させてオートノッチ機能を働かせると、ノッチフィルタ３３は、受信フィルタ３２によって抽出された周波数帯域のうち、第１及び第２のオートノッチ動作禁止周波数範囲を除く周波数帯域を対象として周期信号の妨害信号を探索する。よって、図７に示すように、ノッチフィルタ３３は、周波数帯域３３ｆｂで示す狭い帯域を阻止域とする帯域阻止フィルタによって妨害信号を抑圧することができる。ノッチフィルタ３３は、第１または第２の信号を妨害信号と誤認識して抑圧することはない。
【００３１】
ノッチフィルタ３３によって妨害信号が抑圧された検波信号は、マーク周波数用ＢＰＦ３４、スペース周波数用ＢＰＦ３５、及びＡＧＣ３７に入力される。制御部６は、マーク周波数用ＢＰＦ３４に対してマーク周波数を設定し、スペース周波数用ＢＰＦ３５に対してマーク周波数を基準としたシフト周波数を設定する。
【００３２】
マーク周波数用ＢＰＦ３４は、マーク周波数を中心とする所定の通過域を設定して、その通過域の周波数帯域を抽出した第１の信号を文字デコーダ３６に供給する。スペース周波数用ＢＰＦ３５は、マーク周波数をシフト周波数だけシフトした周波数をスペース周波数とし、スペース周波数を中心とする所定の通過域を設定して、その通過域の周波数帯域を抽出した第２の信号を文字デコーダ３６に供給する。
【００３３】
文字デコーダ３６は、スタートパルスとストップパルスとの間の各文字をデコードして文字データを生成する。文字データは制御部６に供給され、制御部６は文字データに基づく文字をディスプレイ９に表示する。
【００３４】
ＡＧＣ３７は、入力された検波信号のゲインを所定の範囲に自動的に制御する。ＡＧＣ３７より出力された検波信号は図示していないＤ／Ａ変換器によってアナログ信号に変換されて、スピーカ５に供給される。スピーカ５は所定の音を発生する。
【００３５】
ＡＧＣ３７より出力された検波信号をスピーカ５に供給して音を発生させるのは、送信信号を受信していることを聴覚によって確認するためである。ディスプレイ９に文字が表示され、送信信号を受信していることを視覚的に確認できるため、スピーカ５より音を発生させなくてもよい。
【００３６】
図８に示すフローチャートを用いて、制御部６によるＤＳＰ３の制御処理を説明する。図８において、制御部６は、処理を開始すると、ステップＳ１にて、ＤＳＰ３に対して不揮発性メモリ８に記憶された複数のＲＴＴＹパラメータのうちの所定のパラメータを読み出して設定する。ＲＴＴＹパラメータは、マーク周波数、マーク周波数を基準としてどの程度のシフトした周波数がスペース周波数となるかを示すシフト周波数を含む。
【００３７】
制御部６は、ステップＳ２にて、検波信号を抽出する帯域幅とその帯域幅の位置（受信帯域）を決め、受信フィルタ３２に対して設定する。例えば、制御部６は、ＲＴＴＹパラメータに基づいて、第１の周波数（マーク周波数）及び第２の周波数（スペース周波数）を含むように受信帯域を設定してもよい。制御部６は、ステップＳ３にて、ノッチフィルタ３３に対して、第１の周波数を含む第１のオートノッチ動作禁止周波数範囲と第２の周波数を含む第２のオートノッチ動作禁止周波数範囲とを設定して、処理を終了させる。
【００３８】
次に、図９に示すフローチャートを用いて、ＤＳＰ３の処理を説明する。図９において、ＤＳＰ３は、処理を開始すると、ステップＳ１１にて、ＲＴＴＹのパラメータに基づいて、マーク周波数に相当する第１の周波数と、スペース周波数に相当する第２の周波数とを確定する。
【００３９】
ＤＳＰ３は、ステップＳ１２にて、第１の周波数と第２の周波数とに基づいて、受信帯域を設定する。受信帯域は、以降で説明するノッチフィルタ３３が動作する最小周波数と最大周波数としてもよい。例えば、図６において、マーク周波数である第１の周波数から所定の周波数低い周波数を最小周波数、スペース周波数から所定の周波数高い周波数を最大周波数として、受信帯域を設定してもよい。図６において所定の周波数を２７５Ｈｚとすると、最小周波数は１０００Ｈｚ、最大周波数は２４００Ｈｚとなり、受信帯域（周波数帯域３２ｆｂ）は、１４００Ｈｚとなる。
【００４０】
ＤＳＰ３は、ステップＳ１３にて、第１及び第２のオートノッチ動作禁止周波数範囲を取得し、ステップＳ１４にて、ノッチフィルタ３３のオートノッチ動作周波数範囲を計算する。オートノッチ動作周波数範囲は、周波数帯域３２ｆｂのうち、第１及び第２のオートノッチ動作禁止周波数範囲を除く周波数範囲である。
【００４１】
ＤＳＰ３（ノッチフィルタ３３）は、ステップＳ１５にて、オートノッチ動作周波数範囲において妨害信号を探索して妨害信号の有無を検出する。このとき、ノッチフィルタ３３は、妨害信号があれば、妨害信号が位置する周波数を検出する。ノッチフィルタ３３は、ステップＳ１６にて、周期信号の妨害信号があるか否かを判定する。
【００４２】
ステップＳ１５にて妨害信号が検出されない場合、及び、妨害信号が検出されたとしても周期信号でない場合、ステップＳ１６にて周期信号の妨害信号はないと判定され（NO）、ＤＳＰ３はステップＳ１５及びＳ１６の処理を繰り返す。ステップＳ１６にて周期信号の妨害信号があると判定されると（YES）、ノッチフィルタ３３は、ステップＳ１７にて、オートノッチ機能をオンに設定する。
【００４３】
オートノッチ機能をオンに設定されれば、図７で説明したように、周期信号の妨害信号はノッチフィルタ３３によって抑圧される。
【００４４】
ＤＳＰ３は、ステップＳ１８にて、制御部６より、オートノッチ機能をオフにする所定の指示がなされたか否かを判定する。オートノッチ機能をオフにする所定の指示とは、オートノッチ機能自体をオフにする指示の他、ＲＴＴＹの機能をオフにする指示、受信機の電源をオフにする指示を含む。
【００４５】
ステップＳ１８にてオートノッチ機能をオフにする所定の指示がなされなければ（NO）、ＤＳＰ３は処理をステップＳ１６に戻し、ステップＳ１５〜Ｓ１８の処理を繰り返す。これにより、ノッチフィルタ３３は、周期信号の妨害信号の周波数が変化しても、それぞれの周波数の妨害信号に対応して妨害信号を抑圧することができる。
【００４６】
ステップＳ１８にてオートノッチ機能をオフにする所定の指示がなされれば（YES）、ＤＳＰ３は処理を終了させる。
【００４７】
以上のように、本実施形態の受信機、受信方法、及び受信プログラムは、２値ＦＳＫ変調のパラメータに基づいて、第１の周波数及び第２の周波数をそれぞれ含む第１及び第２のオートノッチ動作禁止周波数範囲を設定して、第１及び第２のオートノッチ動作禁止周波数範囲を除く周波数帯域において周期信号の妨害信号を探索して抑圧する。よって、本実施形態の受信機、受信方法、及び受信プログラムによれば、マーク周波数及びスペース周波数を含む周波数帯域に重畳する周期信号の妨害信号をオートノッチ機能によって自動的に抑圧することができる。
【００４８】
本実施形態の受信機、受信方法、及び受信プログラムは、さらに、マーク周波数用バンドパスフィルタが抽出した検波信号と、スペース周波数用バンドパスフィルタが抽出した検波信号とに基づいて、文字情報の各文字をデコードして文字データを生成する。本実施形態の受信機、受信方法、及び受信プログラムによれば、文字情報をディスプレイに表示させることができる。
【００４９】
本発明は以上説明した本実施形態に限定されることはなく、本発明の要旨を逸脱しない範囲において種々変更可能である。
【符号の説明】
【００５０】
３  デジタル・シグナル・プロセッサ（ＤＳＰ）
６  制御部
８  不揮発性メモリ（記憶部）
３１  検波部
３２  受信フィルタ
３３  ノッチフィルタ
３４  マーク周波数用バンドパスフィルタ
３５  スペース周波数用バンドパスフィルタ
３６  文字デコーダ
３７  オートゲイン制御部
【図１】
0006988217.tif 000002
【図２】
0006988217.tif 000003
【図３Ａ】
0006988217.tif 000004
【図３Ｂ】
0006988217.tif 000005
【図４】
0006988217.tif 000006
【図５Ａ】
0006988217.tif 000007
【図５Ｂ】
0006988217.tif 000008
【図６】
0006988217.tif 000009
【図７】
0006988217.tif 000010
【図８】
0006988217.tif 000011
【図９】
0006988217.tif 000012